(57)【要約】【課題】表示部材あるいは透視板を一体成形する上で表示部材あるいは透視板に設けられた位置決め用の孔部から光が回り込んで視認性が低下することのない表示装置を提供する。【解決手段】表示器（速度計１およびエンジン回転計２）と、この表示器を照明する光源３と、表示器の前方側を被うように配置され、透過性の表示部材１２あるいは透視板１１，１１Ａの少なくとも一方が一体成形されたケース部材５とを備えた表示装置に於いて、表示部材１２あるいは透視板１１，１１Ａを一体成形する上で表示部材１２あるいは透視板１１，１１Ａの周縁部に設けられた位置決め用の孔部２１と、この孔部２１を囲むように光源３側の表示部材１２箇所あるいは透視板１１，１１Ａ箇所にケース部材５と一体的に設けられた筒部１６とを備えた。【選択図】図１
2010025666.tif 000002
【特許請求の範囲】
【請求項１】
表示器と、この表示器を照明する光源と、前記表示器の前方側を被うように配置され、透過性の表示部材あるいは透視板の少なくとも一方が一体成形されたケース部材とを備えた表示装置に於いて、前記表示部材あるいは前記透視板を一体成形する上で前記表示部材あるいは前記透視板の周縁部に設けられた位置決め用の孔部または凹部と、この孔部または凹部を囲むように前記光源側の前記表示部材箇所あるいは前記透視板箇所に前記ケース部材と一体的に設けられた筒部と、を備えたことを特徴とする表示装置。
【請求項２】
前記ケース部材の背後を覆うカバー部材を備え、前記カバー部材の背面側からビスを用いて前記筒部にねじ止めすることによって、前記カバー部材が前記ケース部材に固定されることを特徴とする請求項１に記載の表示装置。
【請求項３】
前記筒部と前記カバー部材との間に、前記表示器および前記光源が装着された回路基板を介在させたことを特徴とする請求項２に記載の表示装置。
【発明の詳細な説明】
【技術分野】
【０００１】
本発明は、例えば車両に備えられる表示装置に関し、詳しくは透過性の表示部材あるいは透視板の少なくとも一方が一体成形されたケース部材を備えた表示装置に関するものである。
【背景技術】
【０００２】
車両などに備えられている表示装置は、一般的に表示器やこの表示器を照明する光源などをケース内に収納し、防水性や防塵性を保つようにしてある。この様な表示装置に用いられるケースとして、例えば特許文献１に開示されたものがある。特許文献１に記載されている計器カバー（ケース）は、透明な樹脂からなるカバー部成形品１と不透明な樹脂からなるスカート部３とからなり、カバー部成形品１とスカート部３とは一体成形（インサート成形）してある。一体成形の方法としては、図示しないが、先ずカバー部成形品１を形成する。その後、カバー部成形品１を成型金型に保持し、カバー部成形品１の周縁部にスカート部３となる不透明な溶融樹脂を射出して計器カバーを形成するものである。
【０００３】
ところで、カバー部成形品１を成型金型に保持する際、カバー部成形品１が動かず確実に保持されるようにするために、例えば図６に示す様に、カバー部成形品１の周縁部に複数の位置決め孔ａを設けることがある。特に、成型金型のコア型側が平坦な成形部材の場合、コア型との位置決めが難しいため、図６に示す様に、成形部材（カバー部成形品１）に位置決め孔ａを設けておくことがある。そして、成型金型（コア型）に設けた位置決めピン（図示せず）にカバー部成形品１に設けられた位置決め孔ａを嵌め込むことによって、コア型に対するカバー部成形品１の位置決めが確実に行われるようになる。その後、コア型とキャビ型を閉じて不透明な溶融樹脂を射出する。
【特許文献１】実開昭５９−９０８１７号公報
【発明の開示】
【発明が解決しようとする課題】
【０００４】
しかしながら、カバー部成形品１（本願発明の表示部材あるいは透視板に相当）に成型金型との位置決め用の位置決め孔ａ（孔部または凹部に相当）が設けてあるために、計器カバー内（ケース部材に相当）の光源が点灯した際、光が位置決め孔ａに入り込み、反射してカバー部成形品１から外部側に洩れる光、あるいは内部側に向かう光が生じ、視認性に悪影響を及ぼす虞がある。
【０００５】
本発明はこの様な点に鑑みなされたもので、表示部材あるいは透視板を一体成形する上で表示部材あるいは透視板に設けられた位置決め用の孔部または凹部から光が回り込んで視認性が低下することのない表示装置を提供することを目的とする。
【課題を解決するための手段】
【０００６】
本発明は前記目的を達成するため、表示器と、この表示器を照明する光源と、前記表示器の前方側を被うように配置され、透過性の表示部材あるいは透視板の少なくとも一方が一体成形されたケース部材とを備えた表示装置に於いて、前記表示部材あるいは前記透視板を一体成形する上で前記表示部材あるいは前記透視板の周縁部に設けられた位置決め用の孔部または凹部と、この孔部または凹部を囲むように前記光源側の前記表示部材箇所あるいは前記透視板箇所に前記ケース部材と一体的に設けられた筒部と、を備えたものである。
【０００７】
また、前記ケース部材の背後を覆うカバー部材を備え、前記カバー部材の背面側からビスを用いて前記筒部にねじ止めすることによって、前記カバー部材が前記ケース部材に固定されるものである。
【０００８】
また、前記筒部と前記カバー部材との間に、前記表示器および前記光源が装着された回路基板を介在させたものである。
【発明の効果】
【０００９】
表示部材あるいは透視板を一体成形する上で表示部材あるいは透視板に設けられた位置決め用の孔部または凹部から光が回り込んで視認性が低下することのない表示装置を得ることができる。
【発明を実施するための最良の形態】
【００１０】
車両に備えられている表示装置を実施形態として説明する。図１は、本発明の第１実施形態を示す表示装置の部分断面図である。図２は、表示装置に備えられる表示部材の断面図である。図３は、表示装置に備えられる表示部材および透視板を一体成形する際の概略金型構造図である。
【００１１】
表示装置は、表示器としての速度計１およびエンジン回転計２と、この速度計１およびエンジン回転計２を照明する光源３と、速度計１およびエンジン回転計２が収納され例えば白色の合成樹脂からなる中ケース４と、速度計１およびエンジン回転計２の前方側を被うように中ケース４の開口部に配置されたケース部材５と、中ケース４およびケース部材５の背後を被うように配置されたカバー部材６とを備えている。
【００１２】
速度計１は、表示器本体７と、この表示器本体７の回動軸８に固着された指針９と、この指針９の背後に配置され車両の速度を現す目盛，数字などの表示部（図示せず）が印刷によって設けられた表示板１０などから構成されている。エンジン回転計２も速度計１と同様であるため説明は省略する。なお、図示しないが、速度計１用およびエンジン回転計２用の表示部は昼間時には例えば白色で視認され、夜間など周囲が暗い時に光源３が点灯した際も白色で視認されるようになっている。
【００１３】
ケース部材５は、無色透明な合成樹脂（例えばアクリル樹脂）であって速度計１およびエンジン回転計２に対応している透視板１１，１１Ａと、この透視板１１，１１Ａ間に配置された表示部材１２と、透視板１１，１１Ａおよび表示部材１２の周縁部に形成され例えば黒色の合成樹脂（ＡＢＳ樹脂あるいはＡＥＳ樹脂など）からなる覆い部１３，側壁１４，周壁１５および筒部１６とからなる。透視板１１，１１Ａと表示部材１２と覆い部１３，側壁１４，周壁１５および筒部１６とは一体成形されている。
【００１４】
表示部材１２は、無色透明な合成樹脂（例えばアクリル樹脂）からなり、詳細は図示しないがマーク１７が設けられている。図２に示す様に、基板１８の裏面側にマーク１７形状を抜いて例えば黒色の遮光層１９を印刷する。その後、遮光層１９に重ねるように例えば白色の透過層２０が印刷してある。従って、表面側（観者側）から表示部材１２を見た際、マーク１７が白色で視認され、夜間など周囲が暗い時に光源３が点灯した際もマーク１７が白色で視認されるようになっている。また、表示部材１２の周縁部には２個（複数）の孔部２１が設けてある。
【００１５】
カバー部材６は、例えば黒色の合成樹脂（ＡＢＳ樹脂あるいはＡＥＳ樹脂など）からなる。図示しないが、このカバー部材６は中ケース４に例えばビスを用いてねじ止めされている。同様に、中ケース４はケース部材５にねじ止めされている。
【００１６】
次に、成型金型を用いて透視板１１，１１Ａおよび表示部材１２を一体成形する方法について説明する。図３に示す様に、コア型Ｐ（成型金型）に予め個々に成形された透視板１１，１１Ａと表示部材１２を装着する。この際、表示部材１２の孔部２１がコア型Ｐに設けられた位置決めピンＱに嵌り、コア型Ｐに対して表示部材１２が確実に位置決めされるようになる。即ち、表示部材１２に設けられた孔部２１は、表示部材１２を一体成形する上でコア型Ｐに対する表示部材１２の位置決め用となるものである。
【００１７】
コア型Ｐには側壁１４および周壁１５となる箇所に対応して空隙Ｓ（成形空間）が形成されている（図３に於いては、周壁１５となる箇所の空隙Ｓは示されていない）。また、筒部１６となる箇所にも空隙Ｓ１（成形空間）が形成されている。この空隙Ｓ１は表示部材１２の孔部２１を囲むように円筒状に形成されている。また、キャビ型Ｒ（成型金型）には覆い部１３となる箇所に対応して空隙Ｓ２（成形空間）が形成されている。
【００１８】
上述したコア型Ｐに透視板１１，１１Ａと表示部材１２を装着した後、コア型Ｐとキャビ型Ｒを閉じる（図３はこの状態を示す）。その後、空隙Ｓ，Ｓ１，Ｓ２（図３に於ける無地箇所）に黒色の溶融した合成樹脂を射出する。すると、図１に示す様に、透視板１１，１１Ａと表示部材１２とが一体成形されたケース部材５が得られる。
【００１９】
次に、ケース部材５に設けられた筒部１６の作用について説明する。速度計１およびエンジン回転計２の表示板１０を照明する光源３が点灯することで、表示板１０の表示部（図示せず）が透過照明する。また、光源３の点灯によって表示部材１２に設けられたマーク１７が透過照明する。その際、表示部材１２を一体成形する上で、表示部材１２の周縁部に設けられ成型金型との位置決め用となる孔部２１に光源３からの光が入り込もうとするが、筒部１６によって表示部材１２内への光の進入が抑えられる。つまり、筒部１６は遮光の役目を果たしている。
【００２０】
この様に、表示部材１２を一体成形する上で、表示部材１２の周縁部に設けられた位置決め用の孔部２１と、この孔部２１を囲むように速度計１およびエンジン回転計２の表示板１０を照明する光源３側の表示部材１２箇所に一体的に設けられた筒部１６とを備えることによって、表示部材１２を一体成形する上で成型金型との位置決めが確実に行えると共に、位置決め用の孔部２１が設けてあっても、孔部２１を囲む筒部１６によって光の進入が抑えられ視認性が低下することのない表示装置を得ることができる。
【００２１】
なお、前記実施形態に於いては、表示部材１２を成型金型に位置決めするために孔部２１としたが、貫通しない凹部としても良い。凹部であっても成型金型との位置決めは確実に行える。表示部材１２の裏面側に凸部を設けても成型金型との位置決めは可能であるが、表示部材１２の裏面側を平坦とする必要がある場合（例えば、本実施形態の様に表示部材１２の裏面側に印刷を施す場合）は、孔部または凹部の方が良い。また、筒部１６の高さは光源３からの光が孔部２１に入り込まない程度に適宜に設定すれば良い。
【００２２】
図４は、本発明の第２実施形態を示す表示装置の部分断面図である。図５は、表示装置に備えられる表示部材および透視板を一体成形する際の概略金型構造図である。なお、前記第１実施形態と同一または相当箇所には同一符号を付し、その詳細説明は省略する。
【００２３】
表示装置は、表示器としての速度計１と、この速度計１の前方側および周囲側を被うように配置されたケース部材５と、速度計１およびケース部材５の背後を被うように配置されたカバー部材６とを備えている。速度計１は、硬質な回路基板２２と、この回路基板２２に導通状態で装着された表示器本体７と、この表示器本体７の回動軸８に固着された指針９と、この指針９の背後に配置され車両の速度を現す目盛，数字などの表示部（図示せず）が印刷によって設けられた表示板１０と、回路基板２２に実装され表示板１０を照明する光源３などから構成されている。なお、表示部は昼間時には例えば白色で視認され、夜間など周囲が暗い時に光源３が点灯した際も白色で視認されるようになっている。
【００２４】
また、本実施形態に於ける表示装置には、車両の作動状態あるいは異常内容などを表示する報知表示部（ハイビーム表示部やエンジンオイル表示部など）が設けられている。図示しないが、報知表示部はケース部材５側に設けられており、車両の作動状態あるいは異常内容などに応じて回路基板２２に実装された報知表示部用光源２３が点灯または点滅した際に照明（表示）されるようになっている。
【００２５】
ケース部材５は、無色透明な合成樹脂（例えばアクリル樹脂）であって速度計１に対応している透視板１１と、報知表示部が設けられた表示部材１２と、透視板１１および表示部材１２の周縁部に形成され例えば黒色の合成樹脂（ＡＢＳ樹脂あるいはＡＥＳ樹脂など）からなる覆い部１３，側壁１４，周壁１５，筒部１６と報知表示部に対応し報知表示部用光源２３を囲むように設けられた仕切壁２４とからなる。筒部１６と仕切壁２４は回路基板２２まで延びている。透視板１１と表示部材１２と覆い部１３，側壁１４，周壁１５，筒部１６および仕切壁２４とは一体成形されている。
【００２６】
表示部材１２は、黒色透明な合成樹脂（例えばアクリル樹脂）からなり、詳細は図示しないが報知表示部が設けられている。報知表示部は表示部材１２の裏面側に報知表示部となる形状を抜いて例えば黒色の遮光層を印刷したものである。従って、表面側（観者側）から表示部材１２を見た際、黒色透明な合成樹脂であるために報知表示部は認識し難いが、車両の作動状態あるいは異常内容などに応じて報知表示部用光源２３が点灯または点滅した際は、報知表示部用光源２３の発光色で透過照明（表示）されるようになっている。また、表示部材１２の周縁部には前記第１実施形態と同様に、複数の孔部２１が設けてある。
【００２７】
カバー部材６は、例えば黒色の合成樹脂（ＡＢＳ樹脂あるいはＡＥＳ樹脂など）からなる。このカバー部材６はケース部材５に設けられた筒部１６にビス２５を用いてねじ止めされている。この際、筒部１６とカバー部材６との間には回路基板２２が介在されている。
【００２８】
次に、成型金型を用いて透視板１１および表示部材１２を一体成形する方法について説明する。図５に示す様に、コア型Ｐ（成型金型）に予め個々に成形された透視板１１と表示部材１２を装着する。この際、表示部材１２の孔部２１がコア型Ｐに設けられた位置決めピンＱに嵌り、コア型Ｐに対して表示部材１２が確実に位置決めされるようになる。即ち、表示部材１２に設けられた孔部２１は、表示部材１２を一体成形する上でコア型Ｐに対する表示部材１２の位置決め用となるものである。
【００２９】
コア型Ｐには側壁１４および周壁１５となる箇所に対応して空隙Ｓ（成形空間）が形成されている（図５に於いては、周壁１５となる箇所の空隙Ｓは示されていない）。また、筒部１６となる箇所にも空隙Ｓ１（成形空間）が形成されている。この空隙Ｓ１は表示部材１２の孔部２１を囲むように円筒状に形成されている。また、仕切壁２４となる箇所に対応して空隙Ｓ３（成形空間）が形成されている。また、キャビ型Ｒ（成型金型）には覆い部１３となる箇所に対応して空隙Ｓ２（成形空間）が形成されている。
【００３０】
上述したコア型Ｐに透視板１１と表示部材１２を装着した後、コア型Ｐとキャビ型Ｒを閉じる（図５はこの状態を示す）。その後、空隙Ｓ，Ｓ１，Ｓ２，Ｓ３（図５に於ける無地箇所）に黒色の溶融した合成樹脂を射出する。すると、図４に示す様に、透視板１１と表示部材１２とが一体成型されたケース部材５が得られる。
【００３１】
次に、ケース部材５に設けられた筒部１６の作用について説明する。速度計１の表示板１０を照明する光源３が点灯することで、表示板１０の表示部（図示せず）が透過照明する。その際、表示部材１２を一体成形する上で、表示部材１２の周縁部に設けられ成型金型との位置決め用となる孔部２１に光源３からの光が入り込もうとするが、回路基板２２まで延設された筒部１６によって表示部材１２内へ光が入ることはない。つまり、筒部１６は遮光の役目を果たしている。
【００３２】
また、筒部１６には回路基板２２を介してカバー部材６がねじ止めされるようになっている。つまり、筒部１６は遮光の機能を有すると共に、回路基板２２やカバー部材６が固定される被取付部としての機能も有している。
【００３３】
この様に、表示部材１２を一体成形する上で、表示部材１２の周縁部に設けられた位置決め用の孔部２１と、この孔部２１を囲むように速度計１の表示板１０を照明する光源３側の表示部材１２箇所に一体的に設けられた筒部１６とを備えることによって、前記第１実施形態と同様に、表示部材１２を一体成形する上で成型金型との位置決めが確実に行えると共に、位置決め用の孔部２１が設けてあっても、孔部２１を囲む筒部１６によって光の進入が抑えられ視認性が低下することのない表示装置を得ることができる。
【００３４】
また、ビス２５を用いてカバー部材６を筒部１６にねじ止めするようにしたことで、筒部１６が被取付部としての役目も果たすため、上述した効果に加え、カバー部材６をケース部材５に固定するための専用の被取付部の数を減らす（または廃止する）ことが可能となる。また、筒部１６とカバー部材６との間に回路基板２２を介在させるようにしたことで、回路基板２２をケース部材５に固定するための専用の被取付部を設ける必要がない。従って、表示装置の構造を簡素化することが可能となる。
【００３５】
なお、前記実施形態に於いては、筒部１６とカバー部材６との間に回路基板２２を介在させるようにしたが、回路基板２２を介在させずにカバー部材６を筒部１６にビス２５を用いてねじ止めするようにしても良い。また、カバー部材６は全ての箇所に於いて筒部１６にねじ止めされるものではない。つまり、カバー部材６をケース部材５に固定する際は、筒部１６以外のケース部材５箇所に設けられた被取付部にもビス２５を用いてねじ止めすることが有っても良い。
【００３６】
また、前記各実施形態に於いては、表示部材１２の周縁部に位置決め用の孔部２１を設け、この孔部２１を囲むように光源３側の表示部材１２箇所にケース部材５と一体的に筒部１６を設けたが、透視板１１，１１Ａに設けても良く、或いは表示部材１２と透視板１１，１１Ａの両方に設けても良い。
【図面の簡単な説明】
【００３７】
【図１】本発明の第１実施形態を示す表示装置の部分断面図。
【図２】同表示装置に備えられる表示部材の断面図。
【図３】同表示装置に備えられる表示部材および透視板を一体成形する際の概略金型構造図。
【図４】本発明の第２実施形態を示す表示装置の部分断面図。
【図５】同表示装置に備えられる表示部材および透視板を一体成形する際の概略金型構造図。
【図６】従来の一体成形された計器カバー（ケース部材）を示す断面図。
【符号の説明】
【００３８】
１  速度計（表示器）
２  エンジン回転計（表示器）
３  光源
５  ケース部材
１１，１１Ａ  透視板
１２  表示部材
１６  筒部
２１  孔部
２２  回路基板
２５  ビス
【図１】
2010025666.tif 000003
【図２】
2010025666.tif 000004
【図３】
2010025666.tif 000005
【図４】
2010025666.tif 000006
【図５】
2010025666.tif 000007
【図６】
2010025666.tif 000008